(57)【要約】【課題】  使用者の脛があぶみの輪部に当ったとしても使用者の不快感を緩和することができる揺動型運動装置を提供する。【解決手段】  揺動型運動装置は、使用者１０が跨って着座可能な座席２を有し、この座席２を揺動運動させる運動装置本体１と、この運動装置本体１の左右に吊り下げられ、使用者１０が足先１２を挿入できる輪部４を有したあぶみ３Ａとを備えている。上記あぶみ３Ａの輪部４には、使用者１０の足の甲の上方に位置する斜辺部４ｃに、使用者１０の脛１４に面部分が当るようにひねられたひねり部４ｄが形成されている。【選択図】      図１
2006141752.tif 000002
【特許請求の範囲】
【請求項１】
使用者が跨って着座可能な座席を有し、この座席を揺動運動させる運動装置本体と、この運動装置本体の左右に吊り下げられ、使用者が足先を挿入できる輪部を有したあぶみとを備えた揺動型運動装置であって、
上記あぶみの輪部には、使用者の足の甲の上方に位置する斜辺部に、使用者の脛に面部分が当るようにひねられたひねり部が形成されていることを特徴とする揺動型運動装置。
【請求項２】
上記あぶみの輪部の底辺部の上面は、使用者が足先を挿入する方向に対して上方に傾斜していることを特徴とする請求項１に記載の揺動型運動装置。
【請求項３】
上記あぶみの輪部の底辺部には、使用者の足先を当て止めるストッパーが設けられていることを特徴とする請求項１に記載の揺動型運動装置。
【請求項４】
上記ストッパーは、使用者が足先を挿入する方向に往復スライド可能であるとともに、複数のスライド位置に固定できるように構成されていることを特徴とする請求項３に記載の揺動型運動装置。
【請求項５】
上記あぶみの輪部の底辺部の上面には、使用者の足の裏に当る突起が設けられていることを特徴とする請求項１に記載の揺動型運動装置。
【発明の詳細な説明】
【技術分野】
【０００１】
本発明は、座席に使用者を着座させた状態で該座席を揺動運動させることで、上記使用者に運動負荷を付与する揺動型運動装置に関するものである。
【背景技術】
【０００２】
上記のように、座席に使用者を着座させた状態で該座席を揺動運動させることで、上記使用者に運動負荷を付与する揺動型運動装置は、子供から老人まで利用可能な手軽な運動器具として、当初のスポーツクラブから、一般家庭へと普及してきている。
【０００３】
このような揺動型運動装置としては、例えば図９（ａ）に示すように、運動装置本体１に設けられた座席２を鞍状に形成して使用者１０が跨って着座できるようにするとともに、この座席２の左右からあぶみ３を吊り下げ、このあぶみ３に使用者１０が足をかけることができるようにしたものが知られている（例えば、特許文献１参照）。そして、上記運動装置本体１が座席２を揺動運動させることにより、使用者１０に運動負荷が付与されるように構成されている。
【特許文献１】特開２００４−２１６０７３
【発明の開示】
【発明が解決しようとする課題】
【０００４】
上記あぶみ３としては、上記特許文献１に記載されているようなＬ字状のものを用いることも可能であるが、近年では、使用者１０が座席２から落下することを防止するために、図９に示したように、使用者１０が足先１２を挿入することのできる輪部４を有したものが採用されている。
【０００５】
上記輪部４は、外側に膨らむ形状をなしており、具体的には、図９（ｂ）に示すように、揺動型運動装置の幅方向内側で上下方向に延びる縦辺部４ａと、この縦辺部４ａの下端部から幅方向外側に延びる底辺部４ｂと、この底辺部４ｂの端部と上記縦辺部４ａの上端部とを結ぶように延びる斜辺部４ｃとから構成されている。
【０００６】
そして、この輪部４の上端部には取付け孔５ａを有した吊り下げ部５が連設され、この吊り下げ部５が座席２に垂設された固定金具２ａに取付けられることにより、あぶみ３が座席２に吊り下げられるようになっている。
【０００７】
しかしながら、この輪部４を有したあぶみ３を用いた場合には、輪部４の斜辺部４ｃが使用者１０の足の甲の上方に位置するために、座席２を揺動運動させて使用者１０に運動負荷を付与したときに、使用者１０の脛１４がこの斜辺部４ｃの縁部分（黒丸ａ参照）に当たることがあり、その際に不快感を生じることがあった。
【０００８】
本発明は、このような事情に鑑み、使用者の脛が輪部の斜辺部に当ったとしても使用者の不快感を緩和することができる揺動型運動装置を提供することを目的とする。
【課題を解決するための手段】
【０００９】
上述の目的を達成するために、本発明に係る揺動型運動装置は、使用者が跨って着座可能な座席を有し、この座席を揺動運動させる運動装置本体と、この運動装置本体の左右に吊り下げられ、使用者が足先を挿入できる輪部を有したあぶみとを備えた揺動型運動装置であって、上記あぶみの輪部には、使用者の足の甲の上方に位置する斜辺部に、使用者の脛に面部分が当るようにひねられたひねり部が形成されていることを特徴とするものである。
【００１０】
また、使用者が輪部に足先を挿入しすぎないようにするために、上記あぶみの輪部の底辺部の上面は、使用者が足先を挿入する方向に対して上方に傾斜している構成や、上記あぶみの輪部の底辺部に、使用者の足先を当て止めるストッパーが設けられている構成が好ましく、上記ストッパーは、使用者が足先を挿入する方向に往復スライド可能であるとともに、複数のスライド位置に固定できるように構成されていることが好ましい。
【００１１】
さらに、上記あぶみの輪部の底辺部の上面には、使用者の足の裏に当る突起が設けられている構成とすることもできる。
【発明の効果】
【００１２】
本発明によれば、あぶみの輪部の使用者の足の甲の上方に位置する斜辺部に、使用者の脛に面部分が当るようにひねられたひねり部を形成したから、座席を揺動運動させて使用者に運動負荷を付与したときに、使用者の脛が輪部に当ったとしても、使用者の不快感を緩和することができる。しかも、この不快感の緩和を、輪部の斜辺部をひねるだけの簡単な構成で得ることができる。
【発明を実施するための最良の形態】
【００１３】
以下、本発明を実施するための最良の形態について、図面を参照しながら詳細に説明する。
【００１４】
本発明の第１実施形態の揺動型運動装置は、図１に示すあぶみ３Ａが、図９に示したのと同様に運動装置本体１の座席２に吊り下げられたものである。なお、運動装置本体１については上記で説明した背景技術と同様であるためその説明を省略し、以下にあぶみ３Ａについて説明する。
【００１５】
このあぶみ３Ａは、略直角三角形状の輪部４と、この輪部４の上端部に連設される吊り下げ部５とを備えており、全体が合成樹脂により一体に成形されたものである。なお、本明細書では、運動装置本体１の左側に取付けられるあぶみのみを図示するが、運動装置本体１の右側に取付けられるあぶみは図示したものと対称形状となっている。
【００１６】
上記吊り下げ部５は、上下方向に延びるとともに揺動型運動装置の幅方向に扁平な短冊板状をなしている。そして、その幅方向の中央部分には、上下方向に並ぶ複数（図例では３つ）の取付け孔５ａが設けられていて、使用者１０の足の長さに合わせて座席２に垂設された固定金具２ａ〔図９（ａ）参照〕への取付け位置が選択できるようになっている。
【００１７】
上記輪部４は、揺動型運動装置の幅方向内側で上下方向に延びる縦辺部４ａと、この縦辺部４ａの下端部から揺動型運動装置の幅方向外側に延びる底辺部４ｂと、この底辺部４ｂの端部と上記縦辺部４ａの上端部とを結ぶように延びる斜辺部４ｃとを有している。これらの縦辺部４ａ、底辺部４ｂ、斜辺部４ｃは全て短冊板状をなしている。
【００１８】
そして、使用者１０が輪部４に足先１２を挿入したときには、斜辺部４ｃが使用者１０の足の甲の上方に位置することになる。
【００１９】
上記縦辺部４ａ及び底辺部４ｂの幅方向Ｗ〔図１（ａ）参照〕は、共に輪部４に使用者１０が足先１２を挿入する方向と略平行となっている。そして、底辺部４ｂの上面４ｅには、使用者１０が足先１２を載せることができるようになっている。
【００２０】
上記斜辺部４ｃの中間部分には、当該斜辺部４ｃの幅広の面部分が使用者１０の脛１４に当るようにひねられたひねり部４ｄが形成されている。このひねり部４ｄは、斜辺部４ｃの全体が半ひねりして形成されている。
【００２１】
ここで、半ひねりとは、斜辺部４ｃの上端部が当該斜辺部４ｃの幅方向中央を走る中心線回りに上下両面が反転するようにひねられることをいう。この上端部のひねられる方向は、運動装置本体１の左側に取付けられる図例のあぶみ３Ａでは右回りであり、図略の運動装置本体１の右側に取付けられるあぶみでは左回りである。
【００２２】
そして、斜辺部４ｃの下端部及び上端部は、その幅方向Ｗが輪部４に使用者１０が足先１２を挿入する方向と略平行となる状態で、底辺部４ｂの端部及び縦辺部４ａの上端部にそれぞれ連結されている。
【００２３】
このように、本実施形態のあぶみ３Ａでは、使用者１０の足の甲の上方に位置する斜辺部４ｃに使用者１０の脛１４に面部分が当るようにひねられたひねり部４ｄを形成したから、座席２を揺動運動させて使用者１０に運動負荷を付与したときに、使用者１０の脛１４が輪部４の斜辺部４ｃの面部分に当ったとしても、使用者１０の不快感を緩和することができる。しかも、この不快感の緩和を、輪部４の斜辺部４ｃをひねるだけの簡単な構成で得ることができる。
【００２４】
また、このあぶみ３Ａの全体を合成樹脂により一体に成形したから、部品点数の増加を伴うことなく上記効果を得ることができる。
【００２５】
なお、本発明の揺動型運動装置に用いられるあぶみは、上述した実施形態に限定されるものではなく、以下の変更が可能である。
【００２６】
例えば、輪部４と吊り下げ部５を一体に成形せずに、図２に示すあぶみ３Ｂのように、輪部４と吊り下げ部５を別々の部材で構成し、それらをかしめピン７で連結するようにしてもよい。この場合に、輪部４を構成する部材として、ひねり可能な軟質性の部材、例えばゴムまたは化学繊維等を編み込んでベルト状にしたもの等を用いて、これの一端側を半ひねりするとともに輪状にして輪部４を形成すれば、斜辺部４ｃを柔らかい部材で構成することができるため、さらに使用者１０の不快感を緩和することができる。
【００２７】
ただし、この場合には、輪部４の形状が安定し難いので、図３に示すあぶみ３Ｃのように、斜辺部４ｃのみをひねり可能な軟質性の部材で構成することが好ましい。そして、図示したように、吊り下げ部５と輪部４の縦辺部４ａとが連続した直線状をなすように、かつ、これと輪部４の底辺部４ｂとで略Ｌ字状をなすような形状にすれば、輪部４やひねり部４ｄを形成するための複雑な形状の金型を用いることなく、簡単な形状の金型を用いてあぶみ３Ｃを製造することができ、コストダウンを図ることができる。また、板状の合成樹脂や金属片等を折り曲げてあぶみ３Ｃを製造することも可能である。
【００２８】
さらには、上記ひねり部４ｄは、斜辺部４ｃの全体が半ひねりして形成されている必要はなく、図４に示すあぶみ３Ｄのように、斜辺部４ｃの中間部分が前向きにひねり起こされて形成されていてもよい。このようにしても、斜辺部４ｃの面部分が使用者１０の脛１４に当るようにひねることができる。ただし、この場合には、そのひねり状態を維持するために、斜辺部４ｃを合成樹脂等で成形することが好ましい。
【００２９】
次に、図５に第２実施形態のあぶみ３Ｅを示す。なお、上述した実施形態と同一構成部分には同一符号を付して、その説明を省略する。
【００３０】
このあぶみ３Ｅでは、使用者１０が輪部４に足先１２を挿入しすぎないようにするための構造が採用されている。
【００３１】
具体的には、輪部４の底辺部４ｂは、上面４ｅが輪部４に使用者１０が足先１２を挿入する方向に対して上方に傾斜する形状に形成され、断面が略台形状になっている。
【００３２】
このようにすれば、使用者１０は足の裏で底辺部４ｂの上面４ｅの勾配を感じ取って、適切な挿入位置に足先１２を位置させることができる。従って、使用者１０が輪部４に足先１２を挿入しすぎて使用者１０の脛１４が輪部４の斜辺部４ｃに当ることが抑制される。
【００３３】
なお、この使用者１０が輪部４に足先１２を挿入しすぎないようにするための構造としては、図６〜８に示すあぶみ３Ｆ〜３Ｈのようにすることもできる。
【００３４】
図６に示すあぶみ３Ｆでは、底辺部４ｂに使用者１０の足先１２を当て止めるストッパー４ｆが連設されている。このストッパー４ｆは、底辺部４ｂの前側の所定位置で上面４ｅよりも上方に突出するように断面略Ｌ字状をなしている。
【００３５】
このようなストッパー４ｆを設ければ、使用者１０が輪部４に足先１２を挿入したときにその足先１２がストッパー４ｆに当って、それ以上に足先１２を輪部４に挿入できなくなる。
【００３６】
なお、このストッパー４ｆにおいては、図７に示すあぶみ３Ｇのように、輪部４に使用者１０が足先１２を挿入する方向と平行な方向、すなわち前後方向に往復スライド可能となっていることが好ましい。
【００３７】
このあぶみ３Ｇでは、底辺部４ｂの上面４ｅの中央に前後方向に延びる溝４ｈが設けられているとともに、ストッパー４ｆに底辺部４ｂの溝４ｈに嵌り込み可能な被ガイド片４ｉが設けられており、被ガイド片４ｉが溝４ｈの側面に案内されてストッパー４ｆが前後方向、すなわち輪部１２に使用者１０が足先１２を挿入する方向にスライドするようになっている。
【００３８】
また、上記溝４ｈの側面は複数の凹凸を繰り返す形状、いわゆる鋸歯状に形成され、上記被ガイド片４ｉの先端部は二股状に形成されているとともにその側面には溝４ｈの側面に係合可能な突起が設けられていて、被ガイド片４ｉの先端部が弾性変形することによりストッパー４ｆのスライドが可能となっているとともに、これらの係合によってストッパー４ｆが複数のスライド位置に固定できるようになっている。
【００３９】
このように構成すれば、使用者１０の足の長さに応じて簡単にストッパー位置を変更することができる。
【００４０】
さらには、図８に示すあぶみ３Ｈのように、底辺部４ｂの上面４ｅに半球状の突起４ｇを設けてもよい。この突起４ｇを設ける位置は、使用者１０の足の裏に当る位置に設ければよいが、親指の付け根に対応する位置に設けることが好ましい。
【００４１】
このようにしても、使用者１０は足の裏でこの突起４ｇを感じ取って、適切な挿入位置に足先１２を位置させることができる。
【００４２】
なお、上記実施形態のあぶみ３Ａ〜３Ｈは、上記実施形態で示したように運動装置本体１の座席２から吊り下げてもよいし、運動装置本体１の座席２の直下に位置する部分から吊り下げてもよい。
【図面の簡単な説明】
【００４３】
【図１】本発明に係る第１実施形態のあぶみの斜視図であり、（ａ）は輪部に足先を挿入する前の状態を示し、（ｂ）は輪部に足先を挿入した後の状態を示す。
【図２】変形例のあぶみの斜視図である。
【図３】変形例のあぶみの斜視図である。
【図４】変形例のあぶみの斜視図であり、（ａ）は全体を示し、（ｂ）はひねり部の拡大図である。
【図５】本発明に係る第２実施形態のあぶみの斜視図である。
【図６】変形例のあぶみの斜視図である。
【図７】変形例のあぶみの斜視図である。
【図８】変形例のあぶみの斜視図である。
【図９】従来の揺動型運動装置を示す図であり、（ａ）は正面図、（ｂ）はあぶみの斜視図である。
【符号の説明】
【００４４】
１  運動装置本体
２  座席
３Ａ，３Ｂ，３Ｃ，３Ｄ，３Ｅ，３Ｆ，３Ｇ，３Ｈ  あぶみ
４  輪部
４ａ  内辺部
４ｂ  足載置部
４ｃ  斜辺部
４ｄ  ひねり部
４ｅ  上面
４ｆ  ストッパー
４ｇ  突起
５  吊り下げ部
１０  使用者
１２  足先
１４  脛
【図１】
2006141752.tif 000003
【図２】
2006141752.tif 000004
【図３】
2006141752.tif 000005
【図４】
2006141752.tif 000006
【図５】
2006141752.tif 000007
【図６】
2006141752.tif 000008
【図７】
2006141752.tif 000009
【図８】
2006141752.tif 000010
【図９】
2006141752.tif 000011